(57)【要約】【課題】スリーブ内での端子接続部の位置を安定化することができ、接続信頼性を保持することができる電線接続端子を提供する。【解決手段】一方の電線３の端末部に電線接続部５を介して接続され電線接続部５と反対側に向けて延設された端子接続部７を有する補助端子９と、筒状に形成され端子接続部７を挿入可能な一端と他方の電線１１の端末部を挿入可能な他端とを有し補助端子９と他方の電線１１とを接続するスリーブ１３とを備えた電線接続端子１において、スリーブ１３の端子接続部７が挿入される一端が、閉塞部１５によって閉塞され、閉塞部１５に、端子接続部７を挿入可能で端子接続部７をスリーブ１３内で位置決めする開口部１７を設けた。【選択図】図１
2018037145.tif 000002
【特許請求の範囲】
【請求項１】
一方の電線の端末部に電線接続部を介して接続され前記電線接続部と反対側に向けて延設された端子接続部を有する補助端子と、筒状に形成され前記端子接続部を挿入可能な一端と他方の電線の端末部を挿入可能な他端とを有し前記補助端子と前記他方の電線とを接続するスリーブとを備えた電線接続端子であって、
前記スリーブは、前記端子接続部が挿入される一端が閉塞部によって閉塞され、
前記閉塞部には、前記端子接続部を挿入可能で前記端子接続部を前記スリーブ内で位置決めする開口部が設けられていることを特徴とする電線接続端子。
【請求項２】
請求項１記載の電線接続端子であって、
前記開口部は、前記閉塞部の前記スリーブの周壁の近傍に配置されていることを特徴とする電線接続端子。
【請求項３】
請求項１又は２記載の電線接続端子であって、
前記端子接続部は、前記他方の電線の端末部との接触面が弧状に形成されていることを特徴とする電線接続端子。
【請求項４】
請求項１乃至３のいずれか１項に記載の電線接続端子であって、
前記一方の電線は銅系電線又は非銅系電線のいずれかから成り、他方の電線は一方の電線とは異なる非銅系電線又は銅系電線から成ることを特徴とする電線接続端子。
【発明の詳細な説明】
【技術分野】
【０００１】
本発明は、電線接続端子に関する。詳細には、一方の電線と他方の電線とを接続する補助端子とスリーブとを有する電線接続端子に関する。
【背景技術】
【０００２】
従来、電線接続端子としては、一方の電線の端末部に電線接続部を介して接続され電線接続部と反対側に向けて延設された端子接続部を有する補助端子と、筒状に形成され一端から端子接続部が挿入され他端から他方の電線の端末部が挿入され外周が圧着されて補助端子と他方の電線とを接続するスリーブとを備えたものが知られている（例えば、特許文献１参照）。
【０００３】
この電線接続端子では、補助端子の端子接続部をスリーブの一端から挿入し、他方の電線の端末部をスリーブの他端から挿入し、スリーブの外周を加締めて圧着することにより、補助端子とスリーブとを介して一方の電線と他方の電線とが電気的に接続される。
【先行技術文献】
【特許文献】
【０００４】
【特許文献１】特開２０１０−１７６８８２号公報
【発明の概要】
【発明が解決しようとする課題】
【０００５】
ところで、上記特許文献１のような電線接続端子では、スリーブの一端から補助端子の端子接続部が挿入されているが、スリーブ内に挿入された端子接続部はスリーブ内で位置決めされていない。
【０００６】
このため、上記特許文献１のような電線接続端子では、スリーブ内での端子接続部の位置が安定せず、スリーブの他端から挿入される他方の電線の端末部と衝突する可能性が高く、他方の電線の端末部に折れ曲がりや損傷が発生し、接続信頼性が低下する恐れがあった。
【０００７】
本発明は、スリーブ内での端子接続部の位置を安定化することができ、接続信頼性を保持することができる電線接続端子の提供を目的としている。
【課題を解決するための手段】
【０００８】
請求項１記載の発明は、一方の電線の端末部に電線接続部を介して接続され前記電線接続部と反対側に向けて延設された端子接続部を有する補助端子と、筒状に形成され前記端子接続部を挿入可能な一端と他方の電線の端末部を挿入可能な他端とを有し前記補助端子と前記他方の電線とを接続するスリーブとを備えた電線接続端子であって、前記スリーブは、前記端子接続部が挿入される一端が閉塞部によって閉塞され、前記閉塞部には、前記端子接続部を挿入可能で前記端子接続部を前記スリーブ内で位置決めする開口部が設けられていることを特徴とする。
【０００９】
この電線接続端子では、閉塞部に、端子接続部を挿入可能で端子接続部をスリーブ内で位置決めする開口部が設けられているので、スリーブ内での端子接続部の位置を安定させ、スリーブの他端から挿入される他方の電線の端末部と衝突する可能性を低減することができ、他方の電線の端末部に折れ曲がりや損傷が発生することを抑制し、接続信頼性を保持することができる。
【００１０】
従って、このような電線接続端子では、閉塞部に設けられた開口部によって端子接続部をスリーブ内で位置決めすることができるので、スリーブ内での端子接続部の位置を安定化することができ、接続信頼性を保持することができる。
【００１１】
請求項２記載の発明は、請求項１記載の電線接続端子であって、前記開口部は、前記閉塞部の前記スリーブの周壁の近傍に配置されていることを特徴とする。
【００１２】
この電線接続端子では、開口部が、閉塞部のスリーブの周壁の近傍に配置されているので、端子接続部がスリーブ内の中央部に配置されることがなく、スリーブ内における端子接続部と他方の電線の端末部とが衝突する機会を低減することができる。
【００１３】
請求項３記載の発明は、請求項１又は２記載の電線接続端子であって、前記端子接続部は、前記他方の電線の端末部との接触面が弧状に形成されていることを特徴とする。
【００１４】
この電線接続端子では、端子接続部が、他方の電線の端末部との接触面が弧状に形成されているので、他方の電線の端末部との接触面積を増大させることができ、接続信頼性を向上することができる。
【００１５】
請求項４記載の発明は、請求項１乃至３のいずれか１項に記載の電線接続端子であって、  前記一方の電線は銅系電線又は非銅系電線のいずれかから成り、他方の電線は一方の電線とは異なる非銅系電線又は銅系電線から成ることを特徴とする。
【発明の効果】
【００１６】
本発明によれば、スリーブ内での端子接続部の位置を安定化することができ、接続信頼性を保持することができる電線接続端子を提供することができるという効果を奏する。
【図面の簡単な説明】
【００１７】
【図１】本発明の実施の形態に係る電線接続端子の分解斜視図である。
【図２】本発明の実施の形態に係る電線接続端子の断面図である。
【図３】図２のＡ−Ａ断面図である。
【図４】（ａ）は本発明の実施の形態に係る電線接続端子の補助端子の端子接続部を下方に向けて弧状に形成させたときの斜視図である。（ｂ）は本発明の実施の形態に係る電線接続端子の補助端子の端子接続部を上方に向けて弧状に形成させたときの斜視図である。
【図５】（ａ）は本発明の実施の形態に係る電線接続端子の補助端子の端子接続部を治具によってプレス加工する前の正面図である。（ｂ）は本発明の実施の形態に係る電線接続端子の補助端子の端子接続部を治具によってプレス加工した後の正面図である。
【図６】本発明の実施の形態に係る電線接続端子のタブ状の端子接続部を有する補助端子に対して端子接続部を弧状に形成させたときの斜視図である。
【図７】（ａ）は本発明の実施の形態に係る電線接続端子のスリーブを半円筒形状にしたときの断面図である。（ｂ）は本発明の実施の形態に係る電線接続端子のスリーブをＵ字形状にしたときの断面図である。（ｃ）は本発明の実施の形態に係る電線接続端子のスリーブを角筒形状にしたときの断面図である。
【図８】本発明の実施の形態に係る電線接続端子のスリーブの内周面にスリーブ凹凸部を設けたときの断面図である。
【図９】（ａ）は本発明の実施の形態に係る電線接続端子のスリーブの閉塞部に開口部を２箇所設けたときの断面図である。（ｂ）は本発明の実施の形態に係る電線接続端子のスリーブの閉塞部に長方形状の開口部を設けたときの断面図である。
【図１０】本発明の実施の形態に係る電線接続端子の開口部にテーパを設けたときの断面図である。
【図１１】本発明の実施の形態に係る電線接続端子の端子接続部に端子凹凸部を設けていないときの分解斜視図である。
【図１２】本発明の実施の形態に係る電線接続端子の端子接続部に端子凹凸部を設けていないときの断面図である。
【図１３】図１２のＢ−Ｂ断面図である。
【発明を実施するための形態】
【００１８】
図１〜図１３を用いて本発明の実施の形態に係る電線接続端子について説明する。
【００１９】
本実施の形態に係る電線接続端子１は、一方の電線３の端末部に電線接続部５を介して接続され電線接続部５と反対側に向けて延設された端子接続部７を有する補助端子９と、筒状に形成され端子接続部７を挿入可能な一端と他方の電線１１の端末部を挿入可能な他端とを有し補助端子９と他方の電線１１とを接続するスリーブ１３とを備えている。
【００２０】
図１〜図１０に示すように、電線接続端子１は、一方の電線３の端末部に電気的に接続された補助端子９と、他方の電線１１の端末部が挿入されるスリーブ１３とを有する。電線接続端子１は、スリーブ１３に補助端子９の端子接続部７と他方の電線１１の端末部とを挿入し、スリーブ１３を加締めて圧着させることにより、補助端子９とスリーブ１３とを介して一方の電線３と他方の電線１１とを電気的に接続させる。
【００２１】
一方の電線３は、銅又は銅合金などの銅系金属からなる複数の素線が撚られた導体２３と、この導体２３を被覆する絶縁被覆２５とを備えており、端末部の絶縁被覆２５が所定長さ剥がされ、露出した導体２３に対して補助端子９が圧着される。
【００２２】
補助端子９は、導電性材料からなり、電線接続部５と、端子接続部７とを備えている。電線接続部５は、被覆加締部２７と、導体圧着部２９とを備えている。被覆加締部２７は、底板の両側部に底板と連続する一部材で立設された一対の加締片を有する。これにより、一方の電線３の端末部において、一対の加締片が一方の電線３の絶縁被覆２５の外周側を包囲するように加締められ、補助端子９と一方の電線３とを固定する。導体圧着部２９は、被覆加締部２７と端子接続部７との長手方向の間に設けられ、底板の両側部に底板と連続する一部材で立設された一対の圧着片を有する。導体圧着部２９は、一方の電線３の端末部において、一対の圧着片が一方の電線３の導体２３の外周側を包囲するように加締められて導体２３に圧着され、補助端子９と一方の電線３とを電気的に接続させる。端子接続部７は、電線接続部５の底板と連続する一部材で一方の電線３の長さ方向に電線接続部５と反対側に向けて薄板状に延設され、他方の電線１１の端末部との接触面に凹凸状の端子凹凸部１９が設けられていると共に、外周面が弧状となるように形成されている。なお、端子接続部７の外周面の形状としては、図４（ａ）に示すように、幅方向の中央部が下方に向けて突出するように弧状とする、或いは図４（ｂ）に示すように、幅方向の中央部が上方に向けて突出するように弧状としてもよいし、図７，図９（ｂ）に示す長方形状の開口部１７に挿入可能な平板状としてもよい。
【００２３】
なお、端子接続部７の外周面を弧状とする場合、端子接続部７としては、図５に示すように、上型と下型からなる治具３１によってプレス加工を施し、外周面を弧状としてもよい。また、図６に示すように厚みのある端子、例えば、端子接続部が棒状や平板を折り重ねるなどにより形成された端子を圧縮成形することにより端子接続部の外周面を弧状、平板状などにしてもよい。この場合は、長さ方向の中央部から先端側のスリーブに挿入する部分のみ圧縮成形してもよいし、端子接続部全体を圧縮成形してもよい。これにより、通常のタブを有する雄型端子を補助端子９として利用することができ、新規な補助端子９を製造する必要がない。
【００２４】
なお、補助端子９の電線接続部５には、図示では１本または２本を束ねて一方の電線３が圧着されているが、３本以上の一方の電線３を束ねて圧着してもよい。
【００２５】
また、端子接続部７の外周面を弧状とすることにより、平板状に形成された端子接続部７と比較して、端子凹凸部１９の面積が増大することにより、他方の電線１１の端末部との接触面積を増大させることができ、接続信頼性を向上することができる。
【００２６】
他方の電線１１は、アルミニウム又はアルミニウム合金などのアルミニウム系金属、或いは銅又は銅合金にステンレスなどを合わせた非銅系金属からなる複数の素線が撚られた導体３３と、この導体３３を被覆する絶縁被覆３５とを備えている。他方の電線１１は、端末部の絶縁被覆３５が所定長さ剥がされ、導体３３が露出した端末部側がスリーブ１３内に挿入される。なお、ここでは、図示では１本または２本の他方の電線１１の端末部がスリーブ１３内に挿入されるが、３本以上の他方の電線１１の端末部をスリーブ１３内に挿入してもよい。
【００２７】
スリーブ１３は、導電性材料からなり、筒状に形成され、且つ補助端子９の端子接続部７が挿入される一端側が閉塞部１５によって閉塞されている。閉塞部１５は、スリーブ１３の周壁と連続する一部材で形成され、スリーブ１３の一端側を閉塞し、スリーブ１３を有底の筒状に形成し、且つ補助端子９の端子接続部７を挿入可能な開口部１７をスリーブ１３の周壁の近傍に設けている。開口部１７は、閉塞部１５を貫通して設けられ、補助端子９の端子接続部７を挿入可能、且つスリーブ１３内に位置決め可能なように端子接続部７と同様の形状に形成される。スリーブ１３内に端子接続部７と他方の電線１１の端末部が内部に挿入された状態で、周壁の外周が治具（不図示）に加締められることによって端子接続部７と他方の電線１１の端末部とに圧着される。これにより、端子接続部７と他方の電線１１の端末部とスリーブ１３とが電気的に接続され、一方の電線３と他方の電線１１とが、補助端子９とスリーブ１３とを介して電気的に接続される。なお、スリーブ１３の形状としては、円筒形状に限らず、例えば、図７に示すように、半円筒形状、上方が開放されたＵ字形状、角筒形状など、圧着させたときに端子接続部７と他方の電線１１との外周を覆う形状であれば、どのような形状であってもよい。
【００２８】
開口部１７は、補助端子９の端子接続部７を挿入可能なように端子接続部７と同様の形状に形成され、端子接続部７をスリーブ１３内で位置決めするため、スリーブ１３内での端子接続部７の位置を安定させ、スリーブ１３の他端から挿入される他方の電線１１の端末部と衝突する可能性を低減することができる。これにより、他方の電線１１の端末部において、端子接続部７との衝突による導体３３の折れ曲がりや損傷が発生することを抑制することができ、接続信頼性を保持することができる。また、開口部１７は閉塞部１５において、スリーブ１３の周壁の近傍に位置するように配置されており、開口部１７を挿通してスリーブ１３内に配置された端子接続部７が、スリーブ１３の中央部に配置されることがない。このため、例えば、スリーブ１３の他端から挿入される他方の電線１１が２本であるときのようにスリーブ１３内における他方の電線１１の端末部が占有する割合が高い場合に、スリーブ１３内における端子接続部７と他方の電線１１の端末部とが衝突する機会を低減することができる。
【００２９】
なお、図９に示すように、閉塞部１５において、開口部１７を２箇所設けるなど開口部１７を複数箇所設けて複数の補助端子の端子接続部を挿入してもよく、或いは端子接続部７が平板状である場合に長方形状に設けるなど端子接続部７の形状に合わせて開口部１７の形状を設定すればよい。また、開口部１７に、図１０に示すように、スリーブ１３の一端から内部に向けて傾斜するテーパ３７を設けてもよい。これにより、スリーブ１３内に補助端子９の端子接続部７をスムーズに挿入することができる。
【００３０】
他方の電線１１の導体３３は、アルミニウム系金属、或いは非銅系金属となっており、表面に酸化膜が形成され易く、端子接続部７と他方の電線１１の端末部とを圧着させる際に、酸化膜によって接触抵抗が増大され、接続信頼性が低下してしまう。そのため、端子接続部７の他方の電線１１の端末部と接触する接触面に、凹凸状の端子凹凸部１９を複数設けることにより、スリーブ１３を圧着するときに、他方の電線１１の導体３３の表面に形成された酸化膜を破壊して除去し、他方の電線１１の導体３３の表面を新生面とする。このように端子凹凸部１９によって新生面とされた他方の電線１１の導体３３は、端子接続部７に圧着され、酸化膜の介在による接触抵抗の増大を抑制でき、接続信頼性を向上することができる。なお、端子凹凸部１９は、端子接続部７を成形した後に端子接続部７の表面に形成させてもよいが、治具３１によるプレス加工の際に、端子凹凸部１９を端子接続部７の表面に形成させてもよい。また、図８に示すように、スリーブ１３の内周面にも、凹凸状のスリーブ凹凸部２１を複数設けてもよい。これにより、スリーブ１３を圧着するときに、他方の電線１１の導体３３の表面に形成された酸化膜の除去が促進され、さらに接続信頼性を向上することができる。
【００３１】
このような電線接続端子１では、閉塞部１５に、端子接続部７を挿入可能で端子接続部７をスリーブ１３内で位置決めする開口部１７が設けられているので、スリーブ１３内での端子接続部７の位置を安定させ、スリーブ１３の他端から挿入される他方の電線１１の端末部と衝突する可能性を低減することができ、他方の電線１１の端末部に折れ曲がりや損傷が発生することを抑制し、接続信頼性を保持することができる。従って、このような電線接続端子１では、閉塞部１５に設けられた開口部１７によって端子接続部７をスリーブ１３内で位置決めすることができるので、スリーブ１３内での端子接続部７の位置を安定化することができ、接続信頼性を保持することができる。また、開口部１７は、閉塞部１５のスリーブ１３の周壁の近傍に配置されているので、端子接続部７がスリーブ１３内の中央部に配置されることがなく、スリーブ１３内における端子接続部７と他方の電線１１の端末部とが衝突する機会を低減することができる。
【００３２】
さらに、端子接続部７は、他方の電線１１の端末部との接触面が弧状に形成されているので、他方の電線１１の端末部との接触面積を増大させることができ、接続信頼性を向上することができる。
【００３３】
また、端子接続部７は、他方の電線１１の端末部との接触面に凹凸状の端子凹凸部１９が設けられているので、圧着する際に、端子凹凸部１９によって他方の電線１１の端末部の表面に形成された酸化膜を除去し、他方の電線１１の端末部の新生面と端子接続部７とを接触させることができ、接続信頼性を向上することができる。
【００３４】
さらに、スリーブ１３の内周面に、凹凸状のスリーブ凹凸部２１を設けることにより、圧着する際に、スリーブ凹凸部２１によって他方の電線１１の端末部の表面に形成された酸化膜を除去し、他方の電線１１の端末部の新生面と端子接続部７とを接触させることができ、接続信頼性をより一層向上することができる。
【００３５】
ここで、図１〜図１０で示す電線接続端子１では、一方の電線３の導体２３が銅系金属からなり、他方の電線１１の導体３３がアルミニウム系金属、或いは非銅系金属からなっているが、図１１〜図１３に示す電線接続端子１ａのように、一方の電線３ａの導体２３ａがアルミニウム系金属、或いは非銅系金属からなり、他方の電線１１ａの導体３３ａが銅系金属からなるようにしてもよい。この電線接続端子１ａでは、他方の電線１１ａの導体３３ａの表面に酸化膜が形成され難いので、補助端子９の端子接続部７に端子凹凸部１９を設けなくともよい。なお、一方の電線３ａの導体２３ａに接続される補助端子９の電線接続部５の圧着片の内面には、セレーションが設けられることが好ましい。
【符号の説明】
【００３６】
１，１ａ…電線接続端子
３，３ａ…一方の電線
５…電線接続部
７…端子接続部
９…補助端子
１１，１１ａ…他方の電線
１３…スリーブ
１５…閉塞部
１７…開口部
【図１】
2018037145.tif 000003
【図２】
2018037145.tif 000004
【図３】
2018037145.tif 000005
【図４】
2018037145.tif 000006
【図５】
2018037145.tif 000007
【図６】
2018037145.tif 000008
【図７】
2018037145.tif 000009
【図８】
2018037145.tif 000010
【図９】
2018037145.tif 000011
【図１０】
2018037145.tif 000012
【図１１】
2018037145.tif 000013
【図１２】
2018037145.tif 000014
【図１３】
2018037145.tif 000015